(57)【特許請求の範囲】
【請求項１】
複数の表装型枠(1)を横長にして積み重ね状に立設させて建込みフレーム(2)並びに支持レバー(3)で安定保持させることにより一段分のコンクリート打設空間(A)を形成し、このコンクリート打設空間(A)にコンクリートを打設して表装型枠(1)と一体的にコンクリートを硬化させ、必要に応じて続いてその上段に前記と同じ手段で表装型枠(1)を組設してコンクリートを打設する工程を繰り返して施工する壁体の構築方法であって、前記表装型枠(1)を背面に長さ方向に沿って延びる水平なアリ溝(1a)とこのアリ溝(1a)を除く背面部分には、コンクリートが嵌り込む全長に延びる複数段の凹凸部(1b)とを備えたものとし、このアリ溝(1a)にボルト受け部材(4)またはボルト(5)をスライド可能に嵌め込み、表装型枠(1)を背面から受け止める長尺の建込みフレーム(2)からボルト(5)を前記ボルト受け部材(4)に螺入し、またはボルト(5)にボルト受け部材(4)を螺入することによって表装型枠(1)を長尺の建込みフレーム(2)に対して複数段保持させ、複数の前記支持レバー(3)で長尺の建込みフレーム(2)を上下複数箇所で立設支持させるようにしたことを特徴とする壁体の構築方法。
【請求項２】
前記表装型枠(1)を左右に連結するためにジョイント部材(7)が用意されており、該ジョイント部材(7)は表装型枠(1)の縦断面形態と略同じ形状で形成され、左右側面に表装型枠(1)の側端部分がはまり込む凹陥部(7a)が設けられていて、この凹陥部(7a)に左右から表装型枠(1)を嵌め込むことによって左右の表装型枠(1)を連結するように形成されている請求項１に記載の壁体の構築方法。
【請求項３】
横長にして上下に積み重ね状に立設させて長尺の建込みフレーム(2)並びに複数の支持レバー(3)で上下複数箇所で安定保持させることによりコンクリート打設空間(A)を形成するための表装型枠(1)であって、背面の長さ方向に沿って全長に延びる水平なアリ溝(1a)を備え、このアリ溝(1a)とこのアリ溝(1a)を除く背面部分には、コンクリートが嵌り込む全長に延びる複数段の凹凸部(1b)とにボルト受け部材(4)またはボルト(5)をスライド可能に嵌め込み、該表装型枠(1)を背面から受け止める長尺の建込みフレーム(2)に保持させるようにしたことを特徴とする壁体構築用表装型枠。
【請求項４】
表装型枠(1)が長手方向に沿って平行に延びる上下２段のアリ溝(1a)，(1a)をとこのアリ溝(1a)を除く背面部分には、コンクリートが嵌り込む全長に延びる複数段の凹凸部(1b)と背面に備えたものである請求項３に記載の壁体構築用表装型枠。
【発明の詳細な説明】
【０００１】
【発明が属する技術分野】
本発明は河川の堤防や仕切堰、ダム等をコンクリートで構築する際の壁体の構築方法とその方法に使用する壁体構築用表装型枠に関するものである。
【０００２】
【従来の技術】
従来、河川の堤防や仕切堰等の壁体を構築するのに、型枠が施工された壁体の表面材となる表装型枠を使用して一段目の表装型枠を組設し、この表装型枠によって形成されたコンクリート打設空間にコンクリートを打設し、その上方に次段の表装型枠を組設してコンクリートを打設する工程を繰り返して順次上方に向かって壁体を構築する方法が、例えば本出願人によって提案された特開２００２−２１２９６６号公報によって知られている。
【０００３】
【発明が解決しようとする課題】
しかし上記の壁体構築手段では、表装型枠（景観型枠）を支持レバーで立設保持させるのに、表装型枠の背面の定位置に取付ボルトを形成してこの取付ボルトを長尺の建込みフレームに形成したボルト挿入穴に挿入してナットで締め付け固定し、前記建込みフレームを支持レバーで支持するようにしているため、表装型枠の取付ボルトと建込みフレームのボルト挿入穴との位置合わせが大変面倒であり、殊に上下に複数の表装型枠を配置する場合に上下の表装型枠が左右に少しでもズレると取付ボルトがボルト挿入穴に挿入することができず、その修正に大変手間を要する等の問題点があった。また流し込むコンクリートの容量によって建込みフレームの数を増減する必要性がしばしば発生するが、上記の手段では、取付ボルトが表装型枠に埋め込まれているため、取付ボルトの位置によって建込みフレームの数が制限され、建込みフレームを増加することができなかった。
【０００４】
そこで本発明は、表装型枠とこれを背面から受け止める建込みフレームとの取付作業が容易であり、且つ必要に応じて建込みフレームの位置や間隔並びに数を任意に増減することができるようにし、以って上記した従来課題の解決を図ることができる壁体の構築方法とその方法に使用する壁体構築用表装型枠を提供することを主たる目的とするものである。
【０００５】
【課題を解決するための手段】
上記目的を達成するために、本発明では次のような技術的手段を講じた。即ち本発明に係る壁体の構築方法にあっては、複数の表装型枠１を横長にして積み重ね状に立設させて建込みフレーム２並びに支持レバー３で安定保持させることにより一段分のコンクリート打設空間Ａを形成し、このコンクリート打設空間Ａにコンクリートを打設して表装型枠１と一体的にコンクリートを硬化させ、必要に応じて続いてその上段に前記と同じ手段で表装型枠１を組設してコンクリートを打設する工程を繰り返して施工する壁体の構築方法であって、前記表装型枠１を背面に長さ方向に沿って延びる水平なアリ溝１ａとこのアリ溝１ａを除く背面部分には、コンクリートが嵌り込む全長に延びる複数段の凹凸部１ｂとを備えたものとし、このアリ溝１ａにボルト受け部材４またはボルト５をスライド可能に嵌め込み、表装型枠１を背面から受け止める長尺の建込みフレーム２からボルト５を前記ボルト受け部材４に螺入し、またはボルト５にボルト受け部材４を螺入することによって表装型枠１を長尺の建込みフレーム２に対して複数段保持させ、複数の前記支持レバー３で長尺の建込みフレーム２を上下複数箇所で立設支持させるようにしたことを特徴とするものである。
【０００６】
また、本発明に係る表装型枠の発明にあっては、横長にして上下に積み重ね状に立設させて長尺の建込みフレーム２並びに複数の支持レバー３で上下複数箇所で安定保持させることによりコンクリート打設空間Ａを形成するための表装型枠１であって、背面の長さ方向に沿って全長に延びる水平なアリ溝１ａとこのアリ溝(1a)を除く背面部分には、コンクリートが嵌り込む全長に延びる複数段の凹凸部(1b)とを備え、このアリ溝１ａにボルト受け部材４またはボルト５をスライド可能に嵌め込み、該表装型枠１を背面から受け止める長尺の建込みフレーム２に保持させるようにしたものである。
【０００７】
【発明の実施の形態】
前記表装型枠１どうしを左右に連結する作業を容易にするためにジョイント部材７を用意してある。このジョイント部材７は表装型枠１の縦断面形態と略同じ形状で形成され、左右側面に表装型枠１の側端部分がはまり込む凹陥部７ａが設けられていて、この凹陥部７ａに左右から表装型枠１を嵌め込むことによって左右の表装型枠１をズレなく容易に連結することができる。
【０００８】
表装型枠１の前記したアリ溝１ａを除く背面部分には全長に延びる複数段の凹凸部１ｂを設けてある。これにより流し込まれたコンクリートがこの凹凸部１ｂに嵌り込んでコンクリートと表装型枠とが固く一体的に結合し剥離することがない。前記アリ溝１ａは鳩尾形のもののみに限らず実施例図に示したＴ字形のものやＬ字形に形成したものであってもよく、要するにボルト受け部材４やボルト５の頭部の横移動が自由にでき、建込みフレーム２との締付連結が確実に行い得る形状であればよい。
【０００９】
【実施例】
以下図面に基づいて本発明に係る壁体の構築方法の実施例を説明する。
図１乃至図８において、符号１は本発明に使用される表装型枠であってモルタル又はセメントで形成されており、図３並びに図４で詳しく示すように、外表面が施工される壁体の表面意匠で形成され、背面に横方向に並行に延びる上下２段のアリ溝１ａが設けられている。このアリ溝１ａの両端は後述するボルト受け部材４をアリ溝１ａに嵌め込むことができるように開口されている。またこのアリ溝１ａを除く表装型枠背面部分にも複数の凹凸部１ｂが設けられている。
【００１０】
上記の表装型枠１の夫々のアリ溝１ａに所要数のボルト受け部材４をスライド可能にはめ込んだ後、表装型枠１を図１に示すように左右上下に並べて所定の傾斜角で立設させ、その背面に上下方向に延びる長尺の金属製建込みフレーム２を配置し、図５並びに図６に示すように建込みフレーム２のボルト挿通穴２ａからボルト５を前記ボルト受け部材４に螺入することにより表装型枠１を建込みフレーム２に連結すると同時に、該建込みフレーム２を伸縮調整可能な複数の支持レバー３でグランド面に保持させる。この際、支持レバー３の長さを調整することにより組み付けられる表装型枠１の角度を任意に設定することができる。
【００１１】
上記表装型枠１を左右に配置組設する際に、本実施例では図８に示すようなジョイント部材７が用いられている。このジョイント部材７は表装型枠１の縦断面形態と略同じ形状で且つ左右幅が小幅に形成されている。そして左右側面には表装型枠の側端部分がはまり込む凹陥部７ａが設けられていてこの凹陥部７ａに左右から表装型枠１を嵌め込むことによって左右の表装型枠がズレなく且つ容易に連結することができる。尚、図８に示すように、ジョイント部材７の一側面又は両側面に表装型枠のアリ溝１ａに挿通する舌片７ｂを形成しておけば、表装型枠１を凹陥部７ａに嵌め込むときのガイドとなって連結作業を更に安易化することができよう。
【００１２】
前記建込みフレーム２は実施例に示したコの字形型材のみならず、アングル状又はチャンネル状その他適宜形状の金属材で形成され、図１に示すように、その上端部には同じ建込みフレーム２を継ぎ足すための連結用ボルト孔２ｃが設けられ、側面には支持レバー３を連結するためのボルト孔２ｂが設けられている。
【００１３】
前記支持レバー３は、図５で詳しく示すように、断面Ｕ字形またはアングル状に形成された金属材によって形成された長尺の主支柱３ａと短尺の上部支柱３ｂとがピン３ｃと調節孔を介して長さ調整可能に組み合わされて形成されている。上部支柱３ｂの先端は図６に示すように、連結ボルト６を介して建込みフレーム２に連結される。また図１にみられるように、支持レバー３の下部にはターンバックル３ｄが組み込まれていて長さを微調整できるようになっている。更に下端部には埋込み固定用のアンカー３ｅが設けられている。
【００１４】
このようにして表装型枠１を立設組成したあと、図１に示すように表装型枠１によって囲まれたコンクリート施工空間Ａにコンクリートを流し込んで所要高さのコンクリート壁を施工する。また、コンクリート壁を更に高く形成する必要がある場合には、建込みフレーム２の上端部分を表装型枠１より少し上方に突出するように設定しておく。
【００１５】
上記のようにして形成した第１段階のコンクリート壁を施工した後、図２に示すように、先に立設させた表装型枠１の上方に次段の複数の表装型枠１…を継ぎ足す。この場合、第１段階のコンクリート施工面から突出した建込みフレーム２の上端部分に形成された連結用ボルト孔２ｃを介してボルト等で次段の建込みフレーム２を連結し、継ぎ足した表装型枠１並びに建込みフレーム２を前記と同様な手段で支持レバー３により保持させる。支持レバー３のアンカー３ｅは先に流し込んだコンクリートが柔らかい間にその先端部を埋め込んでおく。このようにして形成されたコンクリート施工空間Ａにコンクリートを打設することによりコンクリート壁を第１段階から第２段階へと施工するものである。勿論、必要に応じて第２段階のコンクリートを施工後、同様な手段で第３段階或いは第４段階へと先に施工したコンクリート壁に積み重ねるように上方に向かって順次積層的にコンクリート壁を施工することができる。
【００１６】
造成されたコンクリート壁体は、表装型枠１がそのまま壁体の傾斜または直立した表面材として残されて、型枠除去やその他の後処理を必要としない。また残された表装型枠１はその背面部で凹凸部１ｂにコンクリートがはまり込むんでコンクリートと固く一体化すると同時に、背面部で建込みフレーム２や支持レバー３により相互に連結されているため剥離脱落することはない。
【００１７】
また表装型枠１と建込みフレーム２との連結は、表装型枠１のアリ溝１ａにスライド可能に嵌め込んだボルト受け部材４を介して、またはボルト５を介して行われるので、上下の表装型枠１に左右方向のズレが生じてもボルト受け部材４をアリ溝１ａに沿って移動調整することにより容易に所定姿勢とすることができ、作業性の向上を図ることができる。また壁体表面意匠を変えるために、上下の表装型枠１を少しずつ横にずらしたり、或いは千鳥状に配置したりする場合でも、アリ溝１ａにそってボルト受け部材４またはボルト５を移動調整することにより、表装型枠１を確実に建込みフレーム２に連結することができる。
【００１８】
図９は、表装型枠１と建込みフレーム２との連結手段に関する別実施例を示したものであって、表装型枠１のアリ溝１ａにボルト５の頭部を嵌め込み、ボルトネジ部分５ａを建込みフレーム２側の内面に突出させてナット４ｎで締付け連結したものである。本発明はこのようにして実施することができるものである。
【００１９】
以上本発明の代表的な実施例について説明したが、本発明は必ずしも上記実施例構造のみに限定されるものでない。例えば建込みフレーム２や支持レバー３の伸縮構造や支持レバー３のグランド面への固定は周知の手段を用いて実施することができる。また、表装型枠の背面に設けたアリ溝の数は表装型枠のサイズや強度等の条件に応じて増減することが可能である。その他本発明ではその構成要件を備え、且つ効果を有する範囲内で適宜変更して実施できることは勿論である。
【００２０】
【発明の効果】
以上詳述した如く本発明によれば、表装型枠の構造を背面に長さ方向に沿って延びる水平なアリ溝とこのアリ溝(1a)を除く背面部分には、コンクリートが嵌り込む全長に延びる複数段の凹凸部(1b)とを備えたものとし、このアリ溝にスライド可能に嵌め込まれたボルトまたはボルト受け部材を介して長尺の建込みフレームが連結されるため、上下の表装型枠に左右方向のズレが生じて建込みフレームのボルト挿入孔とボルトまたはボルト受け部材との間に位置ズレが生じても、ボルト受け部材をアリ溝に沿って移動調整することにより容易に連結することができ、これにより作業性を一段と高めることができ、併せてコンクリートを固く一体化することができる。また、表装型枠のアリ溝に嵌め込むボルト受け部材の数を任意に増減することができるから、表装型枠を背面から支える長尺の建込みフレームの数も必要に応じて任意に増減することができ、加えて上下の表装型枠を任意の寸法で横にずらしたり、或いは千鳥状に配置したりして組設することも可能となって壁体の表面意匠のバリエーションを増やすことができるといった種々顕著な効果がある。
【００２１】
また、請求項２の構成によれば、表装型枠を左右に配置組設する際にジョイント部材の左右の凹陥部に、左右から表装型枠の側端部を嵌め込むことによって左右の表装型枠をズレなく且つ容易に連結することができ、これにより作業性を一層向上させることができるとともに壁体の表面をきれいに仕上げることができるといった効果がある。また、この効果は、ジョイント部材から左右に突出させた舌片によっても同様に得ることができる。
【図面の簡単な説明】
【図１】本発明に係る壁体の構築方法の第１段階の型枠組成状態を示す側面図。
【図２】上記壁体の構築方法の第２段階の型枠組成状態を示す側面図。
【図３】本発明に使用される表装型枠の背面図。
【図４】上記表装型枠の縦断面図。
【図５】本発明における表装型枠と建込みフレーム並びに支持レバーとの連結手段の一例を示す拡大側面図。
【図６】図５で示した部分の平面図。
【図７】上記表装型枠と建込みフレームとの連結状態を示す背面図。
【図８】上記表装型枠の左右に連結するジョイント部材を示す斜視図。
【図９】表装型枠と建込みフレームとの連結手段を示す別実施例の拡大側面図。
【符号の説明】
１  表装型枠
１ａ アリ溝
２  建込みフレーム
３  支持レバー
４  ボルト受け部材
５  ボルト
７  ジョイント部材
７ａ  凹陥部
Ａ  コンクリート打設空間
【図１】
0003707017.tif 000002
【図２】
0003707017.tif 000003
【図３】
0003707017.tif 000004
【図４】
0003707017.tif 000005
【図５】
0003707017.tif 000006
【図６】
0003707017.tif 000007
【図７】
0003707017.tif 000008
【図８】
0003707017.tif 000009
【図９】
0003707017.tif 000010